【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
電子回路や電気回路（電子回路と電気回路のいずれか一方あるいは双方を、以下、単に電気回路と称する）に接続することができる電子部品において、前記電子部品は、前記電子部品が前記電気回路に接続された状態で順方向接続状態になる半導体のｐｎ接合を利用した素子であるダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記電子部品において直列接続の関係にあり、前記第１の部品および第２の部品と直列接続の関係にある第４の部品を有しており、前記第４の部品がコイルを有しているという特徴を有する回路要素を少なくとも１つ有することを特徴とする電子部品。
【請求項２】
請求項１に記載の電子部品において、前記第１の部品と前記第２の部品の少なくとも１つが、当該第１の部品あるいは当該第２の部品に順方向電流（ＩＦ）として２Ａあるいはパルス順方向電流（ＩＦ）として１０Ａを通じたときの順方向の電圧降下である順電圧（Ｖｆ）が０．４Ｖ以下で、当該第１の部品あるいは当該第２の部品に逆方向耐圧電圧に相当する電圧を印可したときの逆方向電流（Ｉｒ）が５０ｍＡ以下であるｐｎ接合素子であることを特徴とする電子部品。
【請求項３】
請求項１または２に記載の電子部品において、前記第４の部品のコイルが６０ｍＨ（ミリヘンリー）以上の誘導または１０ｍＨ（ミリヘンリー）以下の誘導であることを特徴とする電子部品。
【請求項４】
請求項１〜３のいずれか１項に記載の電子部品において、少なくとも１つの前記回路要素は、直列接続関係にある前記第１の部品と第２の部品の他に前記第１の部品および第２の部品と直列接続の関係にある第３の部品を有しており、前記第３の部品は、少なくとも、４０〜７０ｋΩの抵抗値を有する抵抗を有しており、さらに、前記第１〜第４の部品の少なくとも１つの部品と並列接続関係に配置されているコンデンサを有する第５の部品を有していることを特徴とする電子部品。
【請求項５】
請求項１〜４のいずれか１項に記載の電子部品において、少なくとも１つの前記回路要素は、一方の端子が前記回路要素の一部に接続されている接続端子を有しているとともに他方の端子が前記回路要素に接続されずに解放されている解放端子を有する第６の部品を有しており、前記第６の部品はコイルの形状をしている導体を有していることを特徴とする電子部品。
【請求項６】
請求項１〜５のいずれか１項に記載の電子部品において、前記電子部品が、自動車の電気回路の電源供給ソケットまたはそれと実質的に同等のソケットまたは端子に着脱可能に接続することができる部品として構成されていることを特徴とする電子部品。
【請求項７】
請求項１〜６のいずれか１項に記載の電子部品において、前記電子部品は、直列に接続された発光ダイオードと抵抗に並列に接続されている回路部分を有しており、前記回路部分は、請求項１〜５のいずれかに記載の回路要素を有しているとともに、当該電子部品が使用される電子回路に接続された状態で＋電位になる方から順に、コイル（１）、順方向接続状態のダイオード（１）、逆方向接続状態のダイオード（２）、抵抗が直列接続状態に接続されているとともに、前記順方向接続状態のダイオードに並列にコンデンサ（１）が接続されており、前記コイル（１）と前記順方向接続状態のダイオード（１）の間に他方の端子が解放端子になっている８〜２０ターンのコイル（２）の接続端子が接続されており、前記コイル（２）の前記解放端子端子側は前記コイル（１）の前記ダイオード（１）に接続されている端子とは反対側の端子と当該電子部品の端子の間に接続されている配線材に巻きつけられており、前記コイル（１）は８２ｍＨの誘導で、前記抵抗は４０〜４８ｋΩの固定抵抗に直列に接続された最大抵抗値が５ｋΩの可変抵抗からなり、前記コンデンサ（１）が６８０μＦの容量であることを特徴とする電子部品。
【手続補正２】
【補正対象書類名】明細書
【補正対象項目名】０１９５
【補正方法】変更
【補正の内容】
【０１９５】
以上、本発明における課題を解決する手段を説明したが、本発明は上記手段に狭く限定されるものではなく、種々のバリエーションを可能とするものである。
たとえば、前記各発明の組み合わせから構成される発明の例として、本手続き補正書において補正された請求項１〜７に記載の次の各発明は、本発明の願書に最初に添付された明細書に記載された内容の範囲内であることは明白である。
すなわち、補正された請求項１に記載の発明は、電子回路や電気回路（電子回路と電気回路のいずれか一方あるいは双方を、以下、単に電気回路と称する）に接続することができる電子部品において、前記電子部品は、前記電子部品が前記電気回路に接続された状態で順方向接続状態になる半導体のｐｎ接合を利用した素子であるダイオードあるいはダイオードと実質的に同様の順方向特性ならびに逆方向特性を有する半導体素子（以下、前記ダイオードあるいはダイオードと実質的に同様の順方向特性ならびに逆方向特性を有する素子のことをダイオードと称する）を少なくとも１つ有する第１の部品と、前記電子部品が前記電気回路に接続された状態で逆方向接続状態になる半導体のｐｎ接合を利用した素子としてのダイオードを少なくとも１つ有する第２の部品とを有しているとともに、前記第１の部品と第２の部品が前記電子部品において直列接続の関係にあり、前記第１の部品および第２の部品と直列接続の関係にある第４の部品を有しており、前記第４の部品がコイルを有しているという特徴を有する回路要素を少なくとも１つ有することを特徴とする電子部品である。
補正された請求項２に記載の発明は、補正された請求項１に記載の電子部品において、前記第１の部品と前記第２の部品の少なくとも１つが、当該第１の部品あるいは当該第２の部品に順方向電流（ＩＦ）として２Ａあるいはパルス順方向電流（ＩＦ）として１０Ａを通じたときの順方向の電圧降下である順電圧（Ｖｆ）が０．４Ｖ以下で、当該第１の部品あるいは当該第２の部品に逆方向耐圧電圧に相当する電圧を印可したときの逆方向電流（Ｉｒ）が５０ｍＡ以下であるｐｎ接合素子であることを特徴とする電子部品である。
補正された請求項３に記載の発明は、補正された請求項１または２に記載の電子部品において、前記第４の部品のコイルが６０ｍＨ（ミリヘンリー）以上の誘導または１０ｍＨ（ミリヘンリー）以下の誘導であることを特徴とする電子部品である。
補正された請求項４に記載の発明は、補正された請求項１〜３のいずれか１項に記載の電子部品において、少なくとも１つの前記回路要素は、直列接続関係にある前記第１の部品と第２の部品の他に前記第１の部品および第２の部品と直列接続の関係にある第３の部品を有しており、前記第３の部品は、少なくとも、４０〜７０ｋΩの抵抗値を有する抵抗を有しており、さらに、前記第１〜第４の部品の少なくとも１つの部品と並列接続関係に配置されているコンデンサを有する第５の部品を有していることを特徴とする電子部品である。
補正された請求項５に記載の発明は、補正された請求項１〜４のいずれか１項に記載の電子部品において、少なくとも１つの前記回路要素は、一方の端子が前記回路要素の一部に接続されている接続端子を有しているとともに他方の端子が前記回路要素に接続されずに解放されている解放端子を有する特定の部品を有しており、前記特定の部品はコイルの形状をしている導体を有していることを特徴とする電子部品である。
補正された請求項６に記載の発明は、補正された請求項１〜５のいずれか１項に記載の電子部品において、前記電子部品が、自動車の電気回路の電源供給ソケットまたはそれと実質的に同等のソケットまたは端子に着脱可能に接続することができる部品として構成されていることを特徴とする電子部品である。
補正された請求項６に記載の発明は、補正された請求項１〜６のいずれか１項に記載の電子部品において、前記電子部品は、直列に接続された発光ダイオードと抵抗に並列に接続されている回路部分を有しており、前記回路部分は、請求項１〜５のいずれかに記載の回路要素を有しているとともに、当該電子部品が使用される電子回路に接続された状態で＋電位になる方から順に、コイル（１）、順方向接続状態のダイオード（１）、逆方向接続状態のダイオード（２）、抵抗が直列接続状態に接続されているとともに、前記順方向接続状態のダイオードに並列にコンデンサ（１）が接続されており、前記コイル（１）と前記順方向接続状態のダイオード（１）の間に他方の端子が解放端子になっている８〜２０ターンのコイル（２）の接続端子が接続されており、前記コイル（２）の前記解放端子端子側は前記コイル（１）の前記ダイオード（１）に接続されている端子とは反対側の端子と当該電子部品の端子の間に接続されている配線材に巻きつけられており、前記コイル（１）は８２ｍＨの誘導で、前記抵抗は４０〜４８ｋΩの固定抵抗に直列に接続された最大抵抗値が５ｋΩの可変抵抗からなり、前記コンデンサ（１）が６８０μＦの容量であることを特徴とする電子部品である。
【手続補正３】
【補正対象書類名】明細書
【補正対象項目名】０３０６
【補正方法】変更
【補正の内容】
【０３０６】
図１６で、符号４７０は本発明による電子部品、４８５は電子部品４７０の主要部分としての回路要素、４７１は回路要素４８５を構成する第１の部品としてのダイオード、４７２は回路要素４８５を構成する第２の部品としてのダイオード、４７３は直列に接続されている第１の部品としてのダイオード４７１と第２の部品としてのダイオード４７２に直列に接続された第３の部品としての抵抗、４７４は直列に接続されている第１の部品としてのダイオード４７１と第２の部品としてのダイオード４７２と第３の部品としての抵抗４７３とに直列に接続された第４の部品としてのコイル、４７１ａは第１の部品としてのダイオード４７１に並列にそして第２の部品としてのダイオード２とは直列に接続されている第５の部品としてのコンデンサ、４８６は直列接続関係にある前記第１〜第４の部品の少なくとも１つと並列接続関係に配置されている発光ダイオードを有する部品である第８の部品、４７５は第８の部品４８６を構成する部品の一部である発光ダイオード、４７６は第８の部品４８６を構成する部品の一部である抵抗、４８１は第４の部品としてのコイル４７４と第１の部品としてのダイオード４７１および第５の部品としてのコンデンサ４７１ａとの接続部、４８２は一方の端子が当該電子部品の回路要素の一部に電気的に接続されている接続端子になっているとともに他方の端子が前記回路要素に電気的には接続されていない解放端子になっている部品である第７の部品としてのコイル、４８２ａは第７の部品としてのコイル４８２を構成する誘導部、４８２ｂは第７の部品としてのコイル４８２を構成するリード部、４８３ａは接続部４８１で回路要素４８５に電気的に接続されている第７の部品としてのコイル４８２の接続端子、４８３ｂは回路要素４８５に電気的に接続されていない第７の部品としてのコイル４８２の解放端子、４８０は第４の部品としてのコイル４７４と第８の部品４８６を接続している接続部、４７７と４７８は電子部品４７０をそれを使用する電気回路に接続することができる接続端子である。